(57)【要約】【課題】  既設のＯＰＧＷの光ファイバを任意の位置で外部の光ケーブルの光ファイバと接続することを可能にするＯＰＧＷ用接続箱を提供する。【解決手段】  ケース本体２に、切断されたＯＰＧＷ１００の端部同士を先端部に余長を残して連結する支持線１２０を貫通させる貫通孔２２と、ＯＰＧＷ１００の先端部を引き込むＯＰＧＷ引込口２３と、光ケーブル１１０を引き込む光ケーブル引込口２４とを有する。ケース本体２内に配設される、支持線１２０を把持する支持線把持金具３と、ＯＰＧＷ１００の先端部を把持するＯＰＧＷ把持金具４と、光ケーブル１１０を把持する光ケーブル把持金具５と、光ファイバを収納する収納トレイ７とを備える。【選択図】  図１
2008233695.tif 000002
【特許請求の範囲】
【請求項１】
既設のＯＰＧＷに内蔵された光ファイバを外部の光ケーブル内の光ファイバと接続するためのＯＰＧＷ用接続箱であって、
切断された前記ＯＰＧＷの端部同士を先端部に余長を残して連結する支持線に取付可能で、
前記切断されたＯＰＧＷの先端部を引き込む第１の引込口と、前記外部の光ケーブルを引き込む第２の引込口と、を有し開閉可能なケース本体と、
前記ケース本体内に配設され、前記第１の引込口から引き込まれた前記ＯＰＧＷの先端部を把持する第１の把持部と、
前記ケース本体内に配設され、前記第２の引込口から引き込まれた前記外部の光ケーブルを把持する第２の把持部と、
前記ケース本体内に配設され、前記光ファイバを収納する収納トレイと、を備えることを特徴とするＯＰＧＷ用接続箱。
【請求項２】
前記ケース本体に前記支持線を貫通させる貫通孔を有し、
前記ケース本体内に配設され、前記支持線を把持する第３の把持部を備え、
前記第３の把持部で前記支持線を把持することで前記支持線に取り付けられることを特徴とする請求項１に記載のＯＰＧＷ用接続箱。
【請求項３】
前記ケース本体の外側に前記支持線を把持する第３の把持部が配設され、
前記第３の把持部で前記支持線を把持することで前記支持線に取り付けられることを特徴とする請求項１に記載のＯＰＧＷ用接続箱。
【請求項４】
前記第１の把持部と前記第３の把持部とが連結され、前記第２の把持部と前記第３の把持部とが連結されていることを特徴とする請求項２または３のいずれか１項に記載のＯＰＧＷ用接続箱。
【請求項５】
前記ＯＰＧＷの先端部を前記第１の引込口から引き込んだ状態で前記ＯＰＧＷと前記第１の引込口との間に、充填剤を充填するための充填空間が形成されるように前記第１の引込口が形成され、
前記外部の光ケーブルを前記第２の引込口から引き込んだ状態で前記光ケーブルと前記第２の引込口との間に、充填剤を充填するための充填空間が形成されるように前記第２の引込口が形成されていることを特徴とする請求項１〜４のいずれか１項に記載のＯＰＧＷ用接続箱。
【請求項６】
前記支持線を前記貫通孔に貫通させた状態で前記支持線と前記貫通孔との間に、充填剤を充填するための充填空間が形成されるように前記貫通孔が形成されていることを特徴とする請求項２に記載のＯＰＧＷ用接続箱。
【請求項７】
前記ケース本体は、軸線が前記支持線に沿って延び、両端部が閉塞された円筒状であることを特徴とする請求項１〜６のいずれか１項に記載のＯＰＧＷ用接続箱。
【請求項８】
既設のＯＰＧＷに内蔵された光ファイバを外部の光ケーブル内の光ファイバと接続するＯＰＧＷの接続方法であって、
前記外部の光ケーブルと接続したい位置において、切断した前記ＯＰＧＷの端部同士を先端部に余長を残して支持線によって連結し、
前記光ファイバを収納する収納トレイを内部に備えたＯＰＧＷ用接続箱を前記支持線に取り付け、
前記ＯＰＧＷの先端部と前記外部の光ケーブルとを前記ＯＰＧＷ用接続箱に引き込み、
前記ＯＰＧＷの光ファイバと前記外部の光ケーブルの光ファイバとを接続し、
前記光ファイバを前記収納トレイに収納することを特徴とするＯＰＧＷの接続方法。
【請求項９】
前記ＯＰＧＷを前記ＯＰＧＷ用接続箱に引き込んだ隙間および、前記外部の光ケーブルを前記ＯＰＧＷ用接続箱に引き込んだ隙間を閉塞することを特徴とする請求項８に記載のＯＰＧＷの接続方法。
【発明の詳細な説明】
【技術分野】
【０００１】
この発明は、既設の光ファイバ複合架空地線（ＯＰＧＷ：ＯＰｔｉｃａｌ  Ｇｒｏｕｎｄ  Ｗｉｒｅ、以下、「ＯＰＧＷ」という）に内蔵された光ファイバを外部の光ファイバと接続するためのＯＰＧＷ用接続箱およびＯＰＧＷの接続方法に関する。
【背景技術】
【０００２】
ＯＰＧＷは、雷遮蔽を目的として送電線の上方に架線される架空地線（架空送電線）に、光ファイバを内蔵して、通信機能を付加したものである。このＯＰＧＷは、送電線鉄塔の頂部間などに張られた状態で、例えば数百キロメートルという長距離に渡って架設される。すなわち、例えば数キロメートルのＯＰＧＷが巻かれたドラムからＯＰＧＷを引き出しながら、鉄塔の頂部間にＯＰＧＷを架設する。そして、例えば特許文献１に記載されたような接続箱を介してＯＰＧＷの端部同士を接続し、ＯＰＧＷを長距離に渡って架設するものである。また、ＯＰＧＷの端部同士を接続する際に、接続箱内にＯＰＧＷの光ファイバの余長を確保することで、外部の光ケーブル内の光ファイバと接続可能となる。
【特許文献１】特開平１１−２７１５５５号公報
【発明の開示】
【発明が解決しようとする課題】
【０００３】
ところで、ＯＰＧＷに内蔵された光ファイバは、当初、電力設備の情報などを伝送することを主目的として利用されてきた。これに対し、本発明者は、高速通信をより普及させるには、ＯＰＧＷの光ファイバを公衆のインターネット回線や電話回線として活用することが有効であると考えた。そして、そのためには、光通信を行いたい需要家側の通信装置（外部）からの光ファイバ（光ケーブル）とＯＰＧＷの光ファイバとを接続する必要がある。
【０００４】
しかしながら、従来、ＯＰＧＷの光ファイバを外部の光ファイバと接続できる位置は、上記の接続箱においてのみであった。このため、接続箱の配設位置が需要家側の通信装置から離れている場合には、通信装置からの光ファイバを接続箱まで延長しなければならい。例えば、接続箱と通信装置とが十数キロメートル離れている場合には、十数キロメートルもの光ファイバを通信装置から接続箱まで延長しなければならず、資材費、施工費などが膨大となる。このように、既設のＯＰＧＷの光ファイバを任意の位置で外部の光ケーブルの光ファイバと接続することができないため、光通信を行いたい需要家に対してＯＰＧＷの光ファイバを提供する（利用可能にする）ことが現実的に困難な状況にあった。
【０００５】
そこでこの発明は、既設のＯＰＧＷの光ファイバを任意の位置で外部の光ケーブルの光ファイバと接続することを可能にするＯＰＧＷ用接続箱およびＯＰＧＷの接続方法を提供することを目的とする。
【課題を解決するための手段】
【０００６】
上記目的を達成するために請求項１に記載の発明は、既設のＯＰＧＷに内蔵された光ファイバを外部の光ケーブル内の光ファイバと接続するためのＯＰＧＷ用接続箱であって、切断された前記ＯＰＧＷの端部同士を先端部に余長を残して連結する支持線に取付可能で、前記切断されたＯＰＧＷの先端部を引き込む第１の引込口と、前記外部の光ケーブルを引き込む第２の引込口と、を有し開閉可能なケース本体と、前記ケース本体内に配設され、前記第１の引込口から引き込まれた前記ＯＰＧＷの先端部を把持する第１の把持部と、前記ケース本体内に配設され、前記第２の引込口から引き込まれた前記外部の光ケーブルを把持する第２の把持部と、前記ケース本体内に配設され、前記光ファイバを収納する収納トレイと、を備えることを特徴とする。
（作用）
ＯＰＧＷ用接続箱を支持線に取り付け、切断したＯＰＧＷの先端部を第１の引込口から引き込み、ＯＰＧＷの先端部を第１の把持部で把持することで、ＯＰＧＷの先端部がＯＰＧＷ用接続箱（ケース本体）内に配設、固定される。さらに、外部の光ケーブルを第２の引込口から引き込み、外部の光ケーブルを第２の把持部で把持することで、外部の光ケーブルがＯＰＧＷ用接続箱内に配設、固定される。また、光ファイバの余長などを収納トレイに収納することで、ＯＰＧＷ用接続箱内に光ファイバの余長などが確保、配設される。
【０００７】
請求項２に記載の発明は、請求項１に記載のＯＰＧＷ用接続箱において、前記ケース本体に前記支持線を貫通させる貫通孔を有し、前記ケース本体内に配設され、前記支持線を把持する第３の把持部を備え、前記第３の把持部で前記支持線を把持することで前記支持線に取り付けられることを特徴とする。
（作用）
例えば、ケース本体の貫通孔に支持線を貫通させ、支持線を第３の把持部で把持することで、ＯＰＧＷ用接続箱が支持線に取り付けられる。
【０００８】
請求項３に記載の発明は、請求項１に記載のＯＰＧＷ用接続箱において、前記ケース本体の外側に前記支持線を把持する第３の把持部が配設され、前記第３の把持部で前記支持線を把持することで前記支持線に取り付けられることを特徴とする。
（作用）
支持線を第３の把持部で把持することで、ＯＰＧＷ用接続箱（ケース本体）が支持線に取り付けられる。
【０００９】
請求項４に記載の発明は、請求項２または３のいずれか１項に記載のＯＰＧＷ用接続箱において、前記第１の把持部と前記第３の把持部とが連結され、前記第２の把持部と前記第３の把持部とが連結されていることを特徴とする。
（作用）
支持線を第３の把持部で把持し、ＯＰＧＷの先端部を第１の把持部で把持することで、第３の把持部と第１の把持部とを介して、ＯＰＧＷの先端部が支持線によって支持される。同様に、外部の光ケーブルを第２の把持部で把持することで、第３の把持部と第２の把持部とを介して、外部の光ケーブルが支持線によって支持される。
【００１０】
請求項５に記載の発明は、請求項１〜４のいずれか１項に記載のＯＰＧＷ用接続箱において、前記ＯＰＧＷの先端部を前記第１の引込口から引き込んだ状態で前記ＯＰＧＷと前記第１の引込口との間に、充填剤を充填するための充填空間が形成されるように前記第１の引込口が形成され、前記外部の光ケーブルを前記第２の引込口から引き込んだ状態で前記光ケーブルと前記第２の引込口との間に、充填剤を充填するための充填空間が形成されるように前記第２の引込口が形成されていることを特徴とする。
【００１１】
請求項６に記載の発明は、請求項２に記載のＯＰＧＷ用接続箱において、前記支持線を前記貫通孔に貫通させた状態で前記支持線と前記貫通孔との間に、充填剤を充填するための充填空間が形成されるように前記貫通孔が形成されていることを特徴とする。
【００１２】
請求項７に記載の発明は、請求項１〜６のいずれか１項に記載のＯＰＧＷ用接続箱において、前記ケース本体は、軸線が前記支持線に沿って延び、両端部が閉塞された円筒状であることを特徴とする。
【００１３】
請求項８に記載の発明は、既設のＯＰＧＷに内蔵された光ファイバを外部の光ケーブル内の光ファイバと接続するＯＰＧＷの接続方法であって、前記外部の光ケーブルと接続したい位置において、切断した前記ＯＰＧＷの端部同士を先端部に余長を残して支持線によって連結し、前記光ファイバを収納する収納トレイを内部に備えたＯＰＧＷ用接続箱を前記支持線に取り付け、前記ＯＰＧＷの先端部と前記外部の光ケーブルとを前記ＯＰＧＷ用接続箱に引き込み、前記ＯＰＧＷの光ファイバと前記外部の光ケーブルの光ファイバとを接続し、前記光ファイバを前記収納トレイに収納することを特徴とする。
【００１４】
請求項９に記載の発明は、請求項８に記載のＯＰＧＷの接続方法において、前記ＯＰＧＷを前記ＯＰＧＷ用接続箱に引き込んだ隙間および、前記外部の光ケーブルを前記ＯＰＧＷ用接続箱に引き込んだ隙間を閉塞することを特徴とする。さらに、支持線をＯＰＧＷ用接続箱に貫通させる場合には、支持線をＯＰＧＷ用接続箱に貫通させた隙間も閉塞する。
【発明の効果】
【００１５】
請求項１に記載の発明によれば、支持線に取り付けたＯＰＧＷ用接続箱（ケース本体）内に、切断したＯＰＧＷの先端部と外部の光ケーブルとが配設、固定されるため、この状態で、ＯＰＧＷの光ファイバと外部の光ケーブルの光ファイバとを接続することができる。このため、外部の光ケーブルと接続したい任意の位置で既設のＯＰＧＷを切断し、ＯＰＧＷの端部同士を先端部に余長を残して連結した支持線に本ＯＰＧＷ用接続箱を取り付けることで、既設のＯＰＧＷの光ファイバを任意の位置で外部の光ケーブルの光ファイバと接続することが可能となる。
【００１６】
請求項２に記載の発明によれば、ケース本体内に第３の把持部が配設されているため、風雨などが強い送電線鉄塔の頂部においても、第３の把持部による支持線の把持が劣化することを防止できる。
【００１７】
請求項３に記載の発明によれば、第３の把持部がケース本体の外側に配設されているため、ケース本体の小型化、さらにはＯＰＧＷ用接続箱全体の小型化が可能となる。
【００１８】
請求項４に記載の発明によれば、第３の把持部と第１の把持部とが連結されているため、支持線によるＯＰＧＷの支持が強固、安定化する。同様に、第３の把持部と第２の把持部とが連結されているため、支持線による外部の光ケーブルの支持が強固、安定化する。この結果、ＯＰＧＷの光ファイバと外部の光ケーブルの光ファイバとをより強固に、かつ安定して接続することが可能となる。
【００１９】
請求項５および６に記載の発明によれば、各充填空間に充填剤を充填することで、ＯＰＧＷと第１の引込口との間や、外部の光ケーブルと第２の引込口との間などが密閉される。この結果、風雨などが強い送電線鉄塔の頂部においても、ＯＰＧＷ用接続箱（ケース本体）内に雨水などが浸入することを防止できる。同様に、請求項９に記載の発明によれば、ＯＰＧＷをＯＰＧＷ用接続箱に引き込んだ隙間などを閉塞することで、ＯＰＧＷ用接続箱内に雨水などが浸入することを防止できる。
【００２０】
請求項７に記載の発明によれば、ケース本体が支持線に沿って延びる円筒状であるため、風雨などが強い送電線鉄塔の頂部においても、風雨や雪などによる悪影響（衝撃や堆積など）を低く抑えることができる。
【００２１】
請求項８に記載の発明によれば、外部の光ケーブルと接続したい任意の位置で切断した既設のＯＰＧＷを支持線で連結し、ＯＰＧＷ用接続箱を支持線に取り付けて、ＯＰＧＷ用接続箱に引き込んだＯＰＧＷの光ファイバと外部の光ケーブルの光ファイバとを接続することで、既設のＯＰＧＷの光ファイバを任意の位置で外部の光ケーブルの光ファイバと接続することができる。
【発明を実施するための最良の形態】
【００２２】
以下、この発明を図示の実施の形態に基づいて説明する。
【００２３】
（実施の形態１）
図１は、この実施の形態に係るＯＰＧＷ用接続箱Ａ１を示す正面断面図であり、図２は、その平面断面図である。このＯＰＧＷ用接続箱Ａ１は、既設のＯＰＧＷ１００に内蔵された光ファイバ心線（光ファイバ）を外部の光ケーブル１１０内の光ファイバ心線と接続するための接続箱であり、主として、ケース本体２と、支持線把持金具（第３の把持部）３と、ＯＰＧＷ把持金具（第１の把持部）４と、光ケーブル把持金具（第２の把持部）５と、メンバ把持金具６と、収納トレイ７とを備えている。
【００２４】
ケース本体２は、アルミ合金製で、両端部が閉塞された円筒状であり、図３に示すように、軸線に平行に配設されたヒンジ２１を中心に開閉可能となっている。このケース本体２には、貫通孔２２と、ＯＰＧＷ引込口（第１の引込口）２３と、光ケーブル引込口（第２の引込口）２４とが形成されている。すなわち、ケース本体２を閉じた状態で、両端壁の同軸上に貫通孔２２が形成され、一方（図１中右側）の端壁の貫通孔２２の下方にＯＰＧＷ引込口２３が形成され、他方（図１中左側）の端壁の貫通孔２２の下方に光ケーブル引込口２４が形成されている。
【００２５】
貫通孔２２は、後述するようにして切断されたＯＰＧＷ１００の端部同士を先端部に余長を残して連結した支持線（地線）１２０をケース本体２に貫通させるための孔である。この貫通孔２２は、略円筒形で、図４に示すように、内側（収納トレイ７側）の径が支持線１２０の径よりもやや大きく、外側（後述する蓋１０側）の径が内側の径よりも大きくなっている。これにより、支持線１２０を貫通孔２２に貫通させた状態で支持線１２０と貫通孔２２との間に、外側から内側に向けて充填剤９を充填するための充填空間２２ａが形成されるようになっている。また、両端壁の同軸上に貫通孔２２が形成されているため、支持線１２０を貫通孔２２に貫通させた状態で、ケース本体２の軸線が支持線１２０に沿って延びるようになっている。
【００２６】
ＯＰＧＷ引込口２３は、後述するようにして切断されたＯＰＧＷ１００の先端部をケース本体２内に引き込む引込口である。このＯＰＧＷ引込口２３は、略円筒形で、図４に示すように、内側の径がＯＰＧＷ１００の径よりもやや大きく、外側の径が内側の径よりも大きくなっている。これにより、ＯＰＧＷ１００の先端部をＯＰＧＷ引込口２３から引き込んだ状態でＯＰＧＷ１００とＯＰＧＷ引込口２３との間に、外側から内側に向けて充填剤９を充填するための充填空間２３ａが形成されるようになっている。
【００２７】
光ケーブル引込口２４は、外部の光ケーブル１１０の先端部をケース本体２内に引き込む引込口である。この光ケーブル引込口２４は、略円筒形で、図４に示すように、内側の径が光ケーブル１１０の径よりもやや大きく、外側の径が内側の径よりも大きくなっている。これにより、光ケーブル１１０の先端部を光ケーブル引込口２４から引き込んだ状態で光ケーブル１１０と光ケーブル引込口２４との間に、外側から内側に向けて充填剤９を充填するための充填空間２４ａが形成されるようになっている。
【００２８】
ケース本体２の大きさは、各把持金具３〜６と収納トレイ７とを収容できるように設定されている。また、貫通孔２２と各引込口２３、２４との位置は、後述するようにして支持線１２０およびＯＰＧＷ１００、光ケーブル１１０を各把持金具３〜５で把持し、支持線１２０を貫通孔２２に貫通させた状態で、ＯＰＧＷ引込口２３の軸線がＯＰＧＷ１００の軸線と一致し、光ケーブル引込口２４の軸線が光ケーブル１１０の軸線と一致するように、設定されている。
【００２９】
さらに、ケース本体２の両壁部には、各充填空間２２ａ〜２４ａに充填剤９を充填した後に、外側から充填剤９を覆うための蓋１０が取付可能となっている。すなわち、蓋１０の中心部には、図５に示すように、ＯＰＧＷ１００または光ケーブル１１０、あるいは支持線１２０を通すための通し孔１０ａが形成され、この通し孔１０ａにＯＰＧＷ１００などを通して蓋１０をケース本体２の端壁にネジ止めできるようになっている。また、ケース本体２の開口端縁２ａには、パッキンが配設され、図６に示すように、ケース本体２を閉じた状態で外側からバンド８を締め付けることで、ケース本体２が密閉されるようになっている。
【００３０】
支持線把持金具３は、支持線１２０を把持する金具であり、ケース本体２内の両端部にそれぞれ１つ配設されるようになっている。すなわち、図３に示すように、２つの把持板３ａで支持線１２０を挟んだ状態で２つの把持板３ａをネジ止めすることで、支持線１２０を挟持、把持するものである。そして、後述するようにしてケース本体２を取り付けた際に、ケース本体２内の２箇所で支持線１２０を把持するようになっている。
【００３１】
ＯＰＧＷ把持金具４は、ＯＰＧＷ１００の先端部を把持する金具であり、ＯＰＧＷ引込口２３側の支持線把持金具３と直接連結されている。すなわち、２つの把持板４ａでＯＰＧＷ１００を挟んだ状態で２つの把持板４ａをネジ止めすることで、ＯＰＧＷ１００を挟持、把持するものである。そして、後述するようにしてケース本体２を取り付けた際に、ＯＰＧＷ引込口２３から引き込まれたＯＰＧＷ１００を把持した状態でケース本体２内に配設されるようになっている。
【００３２】
光ケーブル把持金具５は、外部の光ケーブル１１０を把持する金具であり、光ケーブル引込口２４側の支持線把持金具３と直接連結されている。すなわち、ＯＰＧＷ把持金具４と同様に、２つの把持板で光ケーブル１１０を挟んだ状態で２つの把持板をネジ止めすることで、光ケーブル１１０を挟持、把持するものである。そして、後述するようにしてケース本体２を取り付けた際に、光ケーブル引込口２４から引き込まれた光ケーブル１１０を把持した状態でケース本体２内に配設されるようになっている。
【００３３】
メンバ把持金具６は、ＯＰＧＷ１００および外部の光ケーブル１１０のテンションメンバ１０１、１１１（スペーサ）を把持する金具である。このメンバ把持金具６は、ＯＰＧＷ把持金具４と光ケーブル把持金具５とに連結された基盤１１上の、ＯＰＧＷ把持金具４側と光ケーブル把持金具５側とにそれぞれ１つ配設されている。ここで、ＯＰＧＷ１００の構造について説明すると、例えば図７に示すように、テンションメンバ１０１の外周（溝）に沿って複数の光ファイバユニット１０２が配設され、テンションメンバ１０１と光ファイバユニット１０２とがアルミパイプ１０３内に収容されている。さらに、アルミパイプ１０３の外周に、複数の地線（アルミ覆鋼線）１０４がよった状態で配設されている。また、光ファイバユニット１０２は、例えば図８に示すように、介在１０２ａの外周に沿って複数の光ファイバ心線１０２ｂが配設され、光ファイバ心線１０２ｂの外周に巻きテープ１０２ｃが巻かれて、光ファイバ心線１０２ｂが介在１０２ａに保持されている。そして、メンバ把持金具６は、地線１０４およびアルミパイプ１０３を除去して露出したテンションメンバ１０１、１１１を、２つの把持板で挟んだ状態で２つの把持板をネジ止めすることで、テンションメンバ１０１、１１１を挟持、把持するものである。なお、テンションメンバ１０１、１１１の代わりに、地線１０４を除去して露出したアルミパイプ１０３を把持するようにしてもよい。
【００３４】
収納トレイ７は、ＯＰＧＷ１００および外部の光ケーブル１１０中の光ファイバを収納するトレイであり、基盤１１上に配置され、後述するようにしてケース本体２内に配設されるようになっている。ここで、光ファイバには、光ファイバユニット（光ファイバユニット１０２等）および光ファイバ心線（光ファイバ心線１０２ｂ等）を含み、光ファイバの余長や光ファイバの接続部などを収納できるようになっている。すなわち、この実施の形態では、光ファイバユニットの余長を巻いた状態で余長シートに収納し、余長シートの上に接続シートを配設して、光ファイバ心線同士を融着接続した接続部および接続余長を巻いた状態で接続シートに収納する。そして、余長シートおよび接続シートを順次重ねて、他の光ファイバユニットを同様に収納するものである。
【００３５】
以上のように、支持線把持金具３と、ＯＰＧＷ把持金具４と、光ケーブル把持金具５と、基盤１１と、メンバ把持金具６と、収納トレイ７とは、一体となっている。
【００３６】
次に、このような構成のＯＰＧＷ用接続箱Ａ１の作用および、このＯＰＧＷ用接続箱Ａ１を用いて既設のＯＰＧＷ１００に内蔵された光ファイバ心線を外部の光ケーブル１１０内の光ファイバ心線と接続する接続方法について説明する。ここで、ＯＰＧＷ１００が送電線鉄塔Ｔの頂部間に張られた状態で架設されている場合について、説明する。
【００３７】
まず、図９に示すように、外部の光ケーブル１１０と接続したい位置において、ＯＰＧＷ１００に支持線１２０を平行に配設する。すなわち、光通信を行いたい需要家側の通信装置（外部）からの光ケーブル１１０を接続したい位置において、支持線１２０をＯＰＧＷ１００と平行に配置し、支持線１２０の両端部をＯＰＧＷクランプ１２１によってＯＰＧＷ１００に連結する。次に、図１０に示すように、支持線１２０を配設した間においてＯＰＧＷ１００を切断する。これにより、切断されたＯＰＧＷ１００の端部同士が、先端部に余長を残して支持線１２０によって連結された状態となる。ここで、ＯＰＧＷ１００を切断しても、鉄塔Ｔからの支持部材によってＯＰＧＷ１００が支持される場合などには、ＯＰＧＷ１００を切断した後に、切断したＯＰＧＷ１００の端部同士を先端部に余長を残して支持線１２０によって連結してもよい。一方、光ケーブル１１０を送電線鉄塔Ｔの頂部まで引き上げる。
【００３８】
続いて、図１１に示すように、支持線１２０にＯＰＧＷ用接続箱Ａ１を取り付けて、ＯＰＧＷ用接続箱Ａ１内においてＯＰＧＷ１００の光ファイバ心線１０２ｂと光ケーブル１１０の光ファイバ心線とを融着接続する。すなわち、まず、２つの支持線把持金具３で支持線１２０を把持する。これにより、各把持金具３〜６と収納トレイ７とが支持線１２０に固定、支持される。次に、切断したＯＰＧＷ１００の先端部を収納トレイ７側に余長を残してＯＰＧＷ把持金具４で把持し、光ケーブル１１０を収納トレイ７側に余長を残して光ケーブル把持金具５で把持する。これにより、支持線把持金具３とＯＰＧＷ把持金具４とを介して、ＯＰＧＷ１００が支持線１２０によって支持され、支持線把持金具３と光ケーブル把持金具５とを介して、光ケーブル１１０が支持線１２０によって支持される。続いて、収納トレイ７側のＯＰＧＷ１００および光ケーブル１１０から光ファイバユニットを露出させ、テンションメンバ１０１、１１１をメンバ把持金具６で把持する。そして、所定の光ファイバユニットの光ファイバ心線同士を融着接続し、上記のようにして、光ファイバの余長や光ファイバの接続部などを収納トレイ７に収納する。
【００３９】
次に、ケース本体２を取り付ける。すなわち、ヒンジ２１を中心にケース本体２を開いた状態で各把持金具３〜６と収納トレイ７とを覆い、ヒンジ２１を中心に閉じて、各把持金具３〜６と収納トレイ７とを収容する。これにより、支持線１２０が貫通孔２２、２２を貫通し、ＯＰＧＷ１００の先端部がＯＰＧＷ引込口２３からケース本体２内に引き込まれ、光ケーブル１１０の先端部が光ケーブル引込口２４からケース本体２内に引き込まれた状態となる。続いて、ケース本体２を複数のバンド８で締結し、各充填空間２２ａ〜２４ａに、防水性、耐候性の充填剤９を充填し、蓋１０を取り付ける。これにより、ケース本体２が完全密閉状態となる。このように、この実施の形態では、ケース本体２を後付けするものであるが、後述するように、ＯＰＧＷ１００や光ケーブル１１０の把持などの前にケース本体２を支持線１２０に配設するようにしてもよく、後付け、先付けのいずれも、この発明に含まれる。
【００４０】
以上のように、このＯＰＧＷ用接続箱Ａ１およびＯＰＧＷ１００の接続方法によれば、外部の光ケーブル１１０と接続したい任意の位置で既設のＯＰＧＷ１００を切断し、ＯＰＧＷ１００の端部同士を連結した支持線１２０にＯＰＧＷ用接続箱Ａ１を配設することで、ＯＰＧＷ１００の光ファイバ心線１０２ｂを任意の位置で外部の光ケーブル１１０の光ファイバ心線と接続することができる。また、支持線把持金具３とＯＰＧＷ把持金具４とが直接連結されているため、支持線１２０によるＯＰＧＷ１００の支持が強固、安定化する。同様に、支持線把持金具３と光ケーブル把持金具５とが直接連結されているため、支持線１２０による光ケーブル１１０の支持が強固、安定化する。この結果、ＯＰＧＷ１００の光ファイバ心線１０２ｂと光ケーブル１１０の光ファイバ心線とをより強固に、かつ安定して接続することが可能となる。
【００４１】
さらに、ケース本体２が完全密閉状態となるため、風雨などが強い送電線鉄塔Ｔの頂部においても、ＯＰＧＷ用接続箱Ａ１内に雨水などが浸入することを防止できる。また、ケース本体２が支持線１２０に沿って延びる円筒状であるため、風雨などが強い送電線鉄塔Ｔの頂部においても、風雨や雪などによる悪影響（衝撃や堆積など）を低く抑えることができる。以上のことから、高所で、環境が厳しい送電線鉄塔Ｔの頂部間に架設されたＯＰＧＷ１００にこのＯＰＧＷ用接続箱Ａ１を配設しても、厳しい環境に耐え、光ファイバ心線同士の接続や光ファイバの余長の収納などを良好に維持できるものである。
【００４２】
（実施の形態２）
図１２は、この実施の形態に係るＯＰＧＷ用接続箱Ａ２を示す正面断面図であり、図１３は、ケース本体２のカバー２５を開けた状態を示す側面断面図である。この実施の形態では、支持線把持金具３がケース本体２の外側に配設されている点で実施の形態１と構成が異なり、実施の形態１と同等の構成については、同一符号を付して説明する。
【００４３】
ケース本体２は、断面が円弧状のカバー２５とケース２６とから構成され、カバー２５に設けられた係止部（図示せず）をケース２６に設けられた被係止部（図示せず）に係止することでカバー２５をケース２６に取り付けられ、係止を解除することでカバー２５をケース２６から外せるようになっている。ケース２６の上縁の両端部（外側）には、支持線把持金具３が一体的に配設（連結）されている。また、ケース２６の両端部の内壁中央には、円弧の中心に向かって延びるアーム２６ａが形成され、ＯＰＧＷ引込口２３側のアーム２６ａの自由端部にＯＰＧＷ把持金具４が配設され、光ケーブル引込口２４側のアーム２６ａの自由端部に光ケーブル把持金具５が配設されている。これにより、支持線把持金具３と、ケース２６と、ＯＰＧＷ把持金具４と、光ケーブル把持金具５と、基盤１１と、メンバ把持金具６と、収納トレイ７とが、一体となっている。
【００４４】
このようなＯＰＧＷ用接続箱Ａ２を用いて既設のＯＰＧＷ１００に内蔵された光ファイバ心線を外部の光ケーブル１１０内の光ファイバ心線と接続するには、次のようにすればよい。まず、実施の形態１と同様に、外部の光ケーブル１１０と接続したい位置において、ＯＰＧＷ１００に支持線１２０を配設してＯＰＧＷ１００を切断し、光ケーブル１１０を送電線鉄塔Ｔの頂部まで引き上げる。そして、支持線１２０にＯＰＧＷ用接続箱Ａ２を取り付けて、ＯＰＧＷ用接続箱Ａ２内においてＯＰＧＷ１００の光ファイバ心線１０２ｂと光ケーブル１１０の光ファイバ心線とを融着接続する。
【００４５】
すなわち、２つの支持線把持金具３で支持線１２０を把持する。これにより、ケース本体２のケース２６とＯＰＧＷ把持金具４と光ケーブル把持金具５および、メンバ把持金具６と収納トレイ７とが支持線１２０に配設（固定）される。次に、切断したＯＰＧＷ１００の先端部をＯＰＧＷ引込口２３からケース２６内に引き込み、収納トレイ７側に余長を残してＯＰＧＷ把持金具４で把持する。同様に、光ケーブル１１０を光ケーブル引込口２４からケース２６内に引き込み、収納トレイ７側に余長を残して光ケーブル把持金具５で把持する。これにより、ＯＰＧＷ１００および光ケーブル１１０の先端部がケース２６内に配設、固定される。続いて、実施の形態１と同様にして、ＯＰＧＷ１００の光ファイバ心線と光ケーブル１１０の光ファイバ心線とを融着接続し、光ファイバの余長や光ファイバの接続部などを収納トレイ７に収納する。そして、カバー２５をケース２６に取り付ければよい。
【００４６】
以上のようなＯＰＧＷ用接続箱Ａ２によれば、ケース２６に支持線把持金具３が一体的に配設されているため、ケース本体２の支持線１２０への配設が強固、安定化する。さらに、支持線把持金具３がケース本体２の外側に配設されているため、ケース本体２の小型化が可能となる。
【００４７】
以上、この発明の実施の形態について説明したが、具体的な構成は、これらの実施の形態に限られるものではなく、この発明の要旨を逸脱しない範囲の設計の変更等があっても、この発明に含まれる。例えば、実施の形態１の変形例として、図１４に示すような構造としてもよい。すなわち、実施の形態２と同様に、ケース本体２をカバー２５とケース２６とから構成し、ケース２６の両端部の内壁に第１のアーム２６ｂと、第２のアーム２６ｃとを形成する。そして、第１のアーム２６ｂの自由端部に支持線把持金具３を配設し、ＯＰＧＷ引込口２３側の第２のアーム２６ｃの自由端部にＯＰＧＷ把持金具４を配設し、光ケーブル引込口２４側の第２のアーム２６ｃの自由端部に光ケーブル把持金具５を配設する。このように、ケース２６と支持線把持金具３とを連結することで、ケース本体２の支持線１２０への配設が強固、安定化するものである。
【００４８】
また、実施の形態２の変形例として、図１５に示すような構造としてもよい。すなわち、実施の形態１と同様に、支持線把持金具３とＯＰＧＷ把持金具４および、支持線把持金具３と光ケーブル把持金具５とを連結バー３１で直接連結する。これにより、支持線１２０によるＯＰＧＷ１００および光ケーブル１１０の支持が強固、安定化し、光ファイバ心線同士をより強固に、かつ安定して接続することが可能となる。
【００４９】
一方、既設のＯＰＧＷ１００の光ファイバ心線と外部の光ケーブル１１０の光ファイバ心線とを接続する接続方法において、上記の手順に制限されない。例えば、上記のように、ＯＰＧＷ１００の切断と支持線１２０の配設との順序は問わない。また、光ファイバの余長などを収納トレイ７に収納した後に、ＯＰＧＷ１００の光ファイバ心線１０２ｂと光ケーブル１１０の光ファイバ心線とを融着接続してもよい。
【図面の簡単な説明】
【００５０】
【図１】この発明の実施の形態１に係るＯＰＧＷ用接続箱を示す正面断面図である。
【図２】図１のＯＰＧＷ用接続箱の平面断面図である。
【図３】図１のＯＰＧＷ用接続箱のケース本体を開けた状態を示す右側面図である。
【図４】図１のＯＰＧＷ用接続箱の両端部の充填剤と蓋を除く拡大図である。
【図５】図１のＯＰＧＷ用接続箱のケース本体を閉じた状態を示す右側面図である。
【図６】図１のＯＰＧＷ用接続箱のケース本体を閉じてバンドを締め付けた状態を示す正面図（ａ）と、その右側面図（ｂ）である。
【図７】この発明の実施の形態に係るＯＰＧＷの断面図である。
【図８】図７のＯＰＧＷの光ファイバユニットの断面図である。
【図９】この発明の実施の形態１において、ＯＰＧＷに支持線を平行に配設した状態を示す図である。
【図１０】図９の状態からＯＰＧＷを切断した状態を示す図である。
【図１１】図１０の状態から支持線にＯＰＧＷ用接続箱を取り付けて、ＯＰＧＷと光ケーブルとを接続した状態を示す図である。
【図１２】この発明の実施の形態２に係るＯＰＧＷ用接続箱を示す正面断面図である。
【図１３】図１２のＯＰＧＷ用接続箱のケース本体のカバーを開けた状態を示す側面断面図である。
【図１４】実施の形態１の変形例であるＯＰＧＷ用接続箱のケース本体のカバーを開けた状態を示す側面断面図である。
【図１５】実施の形態２の変形例であるＯＰＧＷ用接続箱のケース本体のカバーを開けた状態を示す側面断面図である。
【符号の説明】
【００５１】
Ａ１〜Ａ２  ＯＰＧＷ用接続箱
２          ケース本体
２２        貫通孔
２３        ＯＰＧＷ引込口（第１の引込口）
２４        光ケーブル引込口（第２の引込口）
２２ａ〜２４ａ  充填空間
２５        カバー
２６        ケース
２６ａ      アーム
３          支持線把持金具（第３の把持部）
４          ＯＰＧＷ把持金具（第１の把持部）
５          光ケーブル把持金具（第２の把持部）
６          メンバ把持金具
７          収納トレイ
８          バンド
９          充填剤
１０        蓋
１００      ＯＰＧＷ
１０１      テンションメンバ
１０２      光ファイバユニット
１０２ｂ    光ファイバ心線
１０３      アルミパイプ
１０４      地線
１１０      外部の光ケーブル
１１１      テンションメンバ
１２０      支持線
１２１      ＯＰＧＷクランプ
Ｔ          送電線鉄塔
【図１】
2008233695.tif 000003
【図２】
2008233695.tif 000004
【図３】
2008233695.tif 000005
【図４】
2008233695.tif 000006
【図５】
2008233695.tif 000007
【図６】
2008233695.tif 000008
【図７】
2008233695.tif 000009
【図８】
2008233695.tif 000010
【図９】
2008233695.tif 000011
【図１０】
2008233695.tif 000012
【図１１】
2008233695.tif 000013
【図１２】
2008233695.tif 000014
【図１３】
2008233695.tif 000015
【図１４】
2008233695.tif 000016
【図１５】
2008233695.tif 000017